(57)【要約】【課題】地震・強風に強く、瓦葺き作業が容易な瓦屋根構造を得る。【解決手段】ほぼ等しい間隔Ｌで屋根の傾斜方向と平行に配置された垂木２００の上に、野地板３００及び下葺き材４００を固定する。その上に、縦桟５００を垂木２００に沿って配置し、縦桟５００を垂木２００に固定する。その上に、瓦１００を互いに係合させながら並べる。このとき、瓦１００の働き幅Ｗは垂木２００の間隔Ｌの半分とする。瓦１００のうち、縦桟５００の上に配置した瓦１００は、釘６００（固定部材）により、縦桟５００に固定する。【選択図】図３
2008291488.tif 000002
【特許請求の範囲】
【請求項１】
複数の垂木と、野地板と、複数の縦桟と、複数の瓦とを備える瓦屋根構造であって、
上記複数の垂木の各垂木は、棒状であり、
上記野地板は、屋根面と略平行な平板状で、上記複数の垂木の上に位置し、上記複数の垂木に固定され、
上記複数の縦桟の各縦桟は、上記野地板の上に位置し、上記複数の垂木の各垂木に沿って、上記複数の垂木の各垂木に固定され、
上記複数の瓦の各瓦は、
略半円筒板状の丸瓦部と、略長方形の平板状で一辺が上記丸瓦部の側端に接続している平瓦部とを有し、
上記野地板の上に互いに係合して並べられ、
上記複数の瓦の少なくともいずれかの瓦は、上記複数の縦桟のいずれかの縦桟に固定されている
ことを特徴とする瓦屋根構造。
【請求項２】
上記複数の瓦の少なくともいずれかの瓦は、上記丸瓦部の略稜線上に貫通穴を有し、
上記瓦屋根構造は、更に、固定部材を備え、
上記固定部材は、上記貫通穴を有する瓦の貫通穴を通り、上記貫通穴を有する瓦を上記複数の縦桟のいずれかの縦桟に固定する
ことを特徴とする請求項１に記載の瓦屋根構造。
【請求項３】
上記複数の垂木の各垂木は、互いの間隔が上記複数の瓦の働き幅の整数倍であることを特徴とする請求項１または請求項２に記載の瓦屋根構造。
【請求項４】
上記複数の瓦の各瓦は、更に、
略半円筒板状で、軸が上記丸瓦部と略同一で、半径が上記丸瓦部より小さく、下端が上記丸瓦部の上端に接続している玉口部を有し、
上記玉口部が屋根の傾斜方向に隣接する瓦の丸瓦部の内側に係合し、
上記丸瓦部の上端が上記屋根の傾斜方向に隣接する瓦の丸瓦部下端に当接して係合し、
上記平瓦部は、上面が屋根の水平方向に隣接する瓦の丸瓦部側端に当接して係合する
ことを特徴とする請求項１乃至請求項３のいずれかに記載の瓦屋根構造。
【請求項５】
棒状の複数の垂木と、屋根面と略平行な平板状で上記複数の垂木の上に位置し上記複数の垂木に固定された野地板とを備える屋根下地の上に、
略半円筒板状の丸瓦部と、略長方形の平板状で一辺が上記丸瓦部の側端に接続している平瓦部とを有する複数の瓦を葺く屋根瓦葺き方法において、
棒状の複数の縦桟を、上記野地板の上に、上記複数の垂木の各垂木に沿って配置し、
上記複数の縦桟を上記複数の垂木の各垂木に固定し、
上記複数の瓦を、上記野地板の上に、互いに係合して並べ、
上記複数の瓦の少なくともいずれかの瓦を上記複数の縦桟の各縦桟に固定する
ことを特徴とする屋根瓦葺き方法。
【発明の詳細な説明】
【技術分野】
【０００１】
この発明は、瓦葺き屋根の構造及び屋根に瓦を葺く方法に関する。
【背景技術】
【０００２】
瓦屋根の重量を軽くし、地震による家屋の倒壊などを防ぐため、乾式工法による瓦屋根構造が広く知られている。
この工法においては、一般に、屋根の水平方向に横桟を設け、瓦の裏面に設けた引掛け爪を横桟に引掛けることにより、瓦を固定する。
また、台風などの強風により瓦が剥がされるのを防ぐため、瓦同士を係合させる構造の瓦がある。
【特許文献１】特開平８−８２０４７号公報
【特許文献２】特開２００６−２００２２７号公報
【発明の開示】
【発明が解決しようとする課題】
【０００３】
上述したように、地震にも強風にも強い瓦屋根構造が各種提案されている。
また、瓦屋根を葺く作業には、高度な技術が要求される場合がある。
この発明は、例えば、上記のような課題を解決するためになされたものであり、軽量で地震に強い瓦屋根構造であって、強風による引き剥がしにも強く、しかも、瓦葺き作業が容易な瓦屋根構造を得ることを目的とする。
【課題を解決するための手段】
【０００４】
この発明にかかる瓦屋根構造は、
複数の垂木と、野地板と、複数の縦桟と、複数の瓦とを備える瓦屋根構造であって、
上記複数の垂木の各垂木は、棒状であり、
上記野地板は、屋根面と略平行な平板状で、上記複数の垂木の上に位置し、上記複数の垂木に固定され、
上記複数の縦桟の各縦桟は、上記野地板の上に位置し、上記複数の垂木の各垂木に沿って、上記複数の垂木の各垂木に固定され、
上記複数の瓦の各瓦は、
略半円筒板状の丸瓦部と、略長方形の平板状で一辺が上記丸瓦部の側端に接続している平瓦部とを有し、
上記野地板の上に互いに係合して並べられ、
上記複数の瓦の少なくともいずれかの瓦は、上記複数の縦桟のいずれかの縦桟に固定されていることを特徴とする。
【発明の効果】
【０００５】
この発明にかかる瓦屋根構造によれば、横桟が不要なので、瓦屋根構造を構成する材料が少なくて済むので、瓦屋根を軽くすることができる。
また、垂木に直接固定された縦桟に瓦を固定するので、十分な強度を得ることができる。
また、瓦の平瓦部が平板状なので、施工が容易であり、高度な技術のない作業員でも、簡単に瓦葺き作業をすることができる。
【発明を実施するための最良の形態】
【０００６】
実施の形態１．
実施の形態１について、図１〜図４を用いて説明する。
【０００７】
図１は、この実施の形態における瓦１００の一例を表側から見たところを示す斜視図である。
図２は、図１に示した瓦１００を裏側から見たところを示す斜視図である。
【０００８】
瓦１００は、平瓦部１１０、丸瓦部１２０、玉口部１３０、尻水返し１４０、差込水返し１５０、裏面水返し１６０を有する。
平瓦部１１０は、ほぼ長方形の平らな板状である。
丸瓦部１２０は、円筒をほぼ半分に切った形の板状である。丸瓦部１２０は、円筒の左側端が平瓦部１１０の右側端と接続している。なお、丸瓦部１２０の円筒の中心軸は、平瓦表面１１４と平行ではなく、棟側が少し表側に傾いている。これは、屋根の上に瓦１００を並べたときの意匠性を考慮したものであり、丸瓦外面１２４の棟側の端と、棟側に隣接する瓦１００の丸瓦外面１２４の軒側の端とが段差なく連続して見えるようにするためである。
丸瓦右側裏面１２８は、平瓦表面１１４とほぼ同じ高さである。これは、屋根の上に瓦１００を並べたとき、右隣に隣接する瓦１００の平瓦部１１０及び差込水返し１５０の上に、丸瓦部１２０が被さるので、右隣に隣接する瓦１００の平瓦部１１０が差し込める隙間ができるようにするためである。
【０００９】
玉口部１３０は、円筒をほぼ半分に切った形の板状であり、軒側の端（下端）が丸瓦部１２０の棟側の端（上端）と接続している。玉口部１３０の円筒の半径は、丸瓦部１２０の円筒の半径よりも小さい。玉口部１３０の円筒の中心軸は、平瓦表面１１４と平行である。なお、玉口部１３０の円筒の中心軸は、丸瓦部１２０の円筒の中心軸と同じく傾いていてもよい。
玉口部１３０は、屋根の上に瓦１００を並べたとき、棟側に隣接する瓦１００の丸瓦部１２０の下にくる。このため、玉口外面１３４の半径は、丸瓦内面１２５の半径と同じかわずかに小さく、玉口部１３０と棟側に隣接する瓦１００の丸瓦部１２０とがちょうど係合する。
玉口右側裏面１３８は、丸瓦右側裏面１２８よりも表側に下がった位置にある。これは、屋根の上に瓦１００を並べたとき、玉口部１３０は、右斜め棟側に隣接する瓦１００の平瓦部１１０及び差込水返し１５０の上に被さるので、右斜め棟側に隣接する瓦１００の平瓦部１１０が差し込める隙間ができるようにするためである。
【００１０】
玉口部１３０には、左右方向に平行な２本の水切り溝１３１，１３２がある。水切り溝１３１，水切り溝１３２は、丸瓦部１２０と棟側に隣接する瓦１００の丸瓦部１２０との隙間から浸入した雨水がこれ以上浸入するのを防ぐ。
【００１１】
平瓦部１１０の棟側の端には、尻水返し１４０がある。尻水返し１４０は、尻水返し頂面１４４が平瓦表面１１４より高くなっていて、雨水の浸入を防ぐ。
また、平瓦部１１０の左側の端には、差込水返し１５０がある。差込水返し１５０は、差込水返し頂面１５４が尻水返し頂面１４４よりも更に高くなっていて、雨水の浸入を防ぐ。
また、差込水返し１５０は、平瓦表面１１４から垂直に立ち上がるのではなく、少し外側（左側）に逃げる形で斜めに立ち上がっている。これは、屋根の上に瓦１００を並べたとき、棟側に隣接する瓦１００の平瓦裏面１１５と干渉しないようにするためである。
【００１２】
また、平瓦部１１０の左軒側の角は、斜めに切り取った形状となっていて、平瓦切取面１１９が形成されている。これは、左斜め軒側に隣接する瓦１００の丸瓦部１２０との間に空間を作ることにより、浸入した雨水が軒側に隣接する瓦１００の平瓦部１１０の上に落ち、排水できるようにするためである。
【００１３】
釘穴１１１は、平瓦部１１０の棟側の端付近、瓦１００全体の左右ほぼ中央付近にある貫通穴である。釘穴１１１は、瓦１００を固定する釘などの固定部材を通すための穴である。
釘穴１１１の周辺には、釘穴１１１から雨水が浸入するのを防ぐため、釘穴水返し１１２がある。
【００１４】
薄肉部１２２は、丸瓦部１２０の円筒の中心軸の真上（稜線）付近、丸瓦部１２０の上下やや下寄り付近にあり、丸瓦内面１２５側から陥没した非貫通穴である。薄肉部１２２は、釘を打つなどして容易に貫通させることができ、瓦１００を破損することなく、瓦１００を固定する釘などの固定部材を通すことができる。
目印１２１は、薄肉部１２２のちょうど反対側にあたる丸瓦外面１２４にあるわずかな突起であり、施工時に薄肉部１２２に釘を打つための目印である。目印１２１は、目印としての役割を果たせばよいので、例えば、わずかな凹みなど他の形状であってもよい。
【００１５】
裏面水返し１６０は、平瓦部１１０の端に沿って突出している。また、裏面水返し１６０と平行にもう一本の裏面水返し１７０がある。裏面水返し底面１６５，１７５は、同じ高さであり、平瓦裏面１１５より裏側に突出している。裏面水返し底面１６５，１７５の平瓦裏面１１５に対する高さは、尻水返し頂面１４４の平瓦表面１１４に対する高さとほぼ等しい。裏面水返し１６０，１７０は、軒側に隣接する瓦１００の平瓦部１１０との隙間から雨水が浸入するのを防ぐ。
【００１６】
次に、この瓦１００を用いた瓦屋根構造について説明する。
【００１７】
図３は、この実施の形態における屋根８００の構造の一例を示す斜視図である。
なお、この図は、屋根８００の一部を示したものである。また、係合の様子が見えるよう、屋根８００全体を覆う瓦１００のうち１２枚のみを示し、更にそのうちの１枚を破断して示している。
【００１８】
屋根８００（瓦屋根構造）は、複数の垂木２００、野地板３００、下葺き材４００、複数の縦桟５００、複数の瓦１００を備える。
垂木２００は、屋根８００の傾斜方向に平行に配置された棒状の構造材であり、屋根８００を支えるものである。垂木２００は、ほぼ等間隔に平行に配置されている。垂木２００の間隔Ｌは、例えば日本建築の場合、一般的に１尺５寸（約４５．５センチメートル）である。
【００１９】
野地板３００は、屋根面を構成する平らな板状の部材である。野地板３００は、１枚の板でもよいし、複数枚の板であってもよい。野地板３００は、垂木２００の上に固定されている。
下葺き材４００は、野地板３００の上に固定されたアスファルトルーフィングなどの防水シートである。下葺き材４００は、雨水を瓦１００が防ぎきれない場合に、浸入した雨水を止めて、雨漏りを防ぐ役割を果たす。
【００２０】
縦桟５００は、細長い棒状の部材であり、瓦１００を固定する釘６００などの固定部材を打つためのものである。
縦桟５００は、野地板３００及び下葺き材４００の上に位置し、屋根８００の傾斜方向に平行に配置されている。また、縦桟５００は、ちょうど垂木２００の真上にあたる位置にあり、垂木２００に沿って配置されている。
縦桟５００は、例えば釘などの固定部材により、垂木２００にしっかりと固定されている。
【００２１】
瓦１００は、野地板３００及び下葺き材４００の上に並べられている。
瓦１００は、軒側の右端から順に並べられる。左側の瓦１００は、丸瓦部１２０が右側に隣接した瓦１００の平瓦部１１０及び差込水返し１５０の上に被さり、丸瓦右側裏面１２８が右側に隣接した瓦１００の平瓦表面１１４に当接している。
棟側の瓦１００は、丸瓦部１２０が軒側に隣接した瓦１００の玉口部１３０の上に被さり、丸瓦頭面１２６が軒側に隣接した瓦１００の丸瓦尻面１２７と当接している。また、平瓦部１１０が軒側に隣接した瓦１００の平瓦部１１０及び尻水返し１４０の上に被さり、裏面水返し底面１６５，１７５が軒側に隣接した瓦１００の平瓦表面１１４に当接するとともに、軒側に隣接した瓦１００の尻水返し頂面１４４が平瓦裏面１１５に当接している。
また、左斜め軒側に隣接した瓦１００との関係でいえば、左斜め軒側に隣接した瓦１００の玉口部１３０が、平瓦部１１０及び差込水返し１５０の上に被さり、左斜め軒側に隣接した瓦１００の玉口右側裏面１３８が平瓦表面１１４に当接するとともに、左斜め軒側に隣接した瓦１００の丸瓦尻面１２７が平瓦頭面１１６に当接している。
【００２２】
左右方向の瓦１００の間隔（働き幅Ｗ）は、瓦１００の一部が重なるように並べているので、瓦１００の外寸より狭い。この例では、働き幅Ｗが７寸５分（約２２．７センチメートル）になるように、瓦１００を並べている。
瓦１００は、薄肉部１２２が縦桟５００の真上に来るように並べる。この例では、縦桟５００の間隔は、垂木２００の間隔と等しい１尺５寸であり、瓦１００の働き幅Ｗのちょうど２倍なので、薄肉部１２２が縦桟５００の真上に来る瓦１００が２枚に１枚の割合で存在する。
【００２３】
すべての瓦１００は、釘穴１１１に釘６００などの固定部材（ネジ、ビスなどでもよい）を打つことにより、野地板３００に固定されている。
また、薄肉部１２２が縦桟５００の真上に来る瓦１００は、薄肉部１２２を貫通させた貫通穴に釘６００などの固定部材（パッキン付きステンレス釘などが好ましい）を通すことにより、縦桟５００に固定されている。
薄肉部１２２が縦桟５００の真上に来ない瓦１００は、薄肉部１２２を貫通させずそのままにしてあるので、ここから雨水が浸入する心配はない。
なお、薄肉部１２２の代わりに、薄肉部１２２の位置に貫通した釘穴がある瓦１００と、釘穴のない瓦１００との２種類の瓦１００を用意して、これを交互に並べることとしてもよい。しかし、薄肉部１２２のある瓦１００を現場で加工して、釘穴がある瓦１００と釘穴がない瓦１００とするほうが、２種類の瓦１００を生産する必要がなく、また、作業の効率化が図れるので好ましい。
【００２４】
次に、この実施の形態における屋根８００を葺く作業について、更に詳しく説明する。
図４は、この実施の形態における屋根瓦葺き方法の作業の流れの一例を示すフローチャート図である。
なお、役瓦や屋根の端における処理については省略し、屋根中央の桟瓦の部分についてのみ説明する。
【００２５】
野地板張り工程Ｓ１１において、垂木２００の上に野地板３００を張り、釘などの固定部材を用いて、野地板３００を垂木２００に固定する。
【００２６】
下葺き工程Ｓ１２において、野地板張り工程Ｓ１１で垂木２００に固定した野地板３００の上に下葺き材４００を張り、釘などの固定部材を用いて、下葺き材４００を野地板３００に固定する。
【００２７】
縦桟配置工程Ｓ１３において、野地板張り工程Ｓ１１で固定した野地板３００及び下葺き工程Ｓ１２でその上に固定した下葺き材４００の上に、縦桟５００を配置する。このとき、縦桟５００は、垂木２００の真上にあたる位置に、垂木２００と平行に、垂木２００に沿って配置する。
縦桟固定工程Ｓ１４において、縦桟配置工程Ｓ１３で配置した縦桟５００を、釘などの固定部材を用いて、垂木２００に固定する。
【００２８】
次に、瓦１００を１枚ずつ葺いていく。瓦１００は、軒側の列から棟側の列へ順に葺いていく。また、１列のなかでは、右側から左側へ順に葺いていく。
【００２９】
瓦配置工程Ｓ１５において、既に固定してある瓦１００と係合させつつ、瓦１００を１枚ずつ配置する。このとき、瓦１００の働き幅Ｗは、垂木２００の間隔Ｌの整数分の一となるように配置し、縦桟５００の上に被せて配置する瓦１００は、薄肉部１２２が縦桟５００の真上にくるように配置する。
【００３０】
瓦固定工程Ｓ１６において、瓦１００の釘穴１１１に釘６００などの固定部材を打つことにより、瓦１００を１枚ずつ野地板３００に固定する。また、縦桟５００の上に被せて配置した瓦１００については、薄肉部１２２を打ち抜いて貫通穴を形成した上で、形成した貫通穴に釘６００などの固定部材を打つことにより、瓦１００を縦桟５００に固定する。
なお、瓦配置工程Ｓ１５で瓦１００を１枚ずつ配置するたびに、瓦１００を固定してもよいし、複数の瓦１００を配置したのちにまとめて固定してもよい。ただし、釘穴１１１は、棟側に隣接する瓦１００の下に隠れてしまうので、遅くとも棟側に隣接する瓦１００を配置する前に固定する。
【００３１】
瓦配置工程Ｓ１５及び瓦固定工程Ｓ１６を、すべての瓦１００について繰り返す。
【００３２】
次に、この実施の形態における瓦屋根構造及び屋根瓦葺き方法の効果について説明する。
【００３３】
この実施の形態における瓦屋根構造は、従来は必要だった横桟（引掛け桟）がなく、縦桟５００のみである点が特徴である。
これにより、材料が少なくて済むので、屋根を軽くすることができ、また、作業の工程が減るので、材料コスト・作業コストを削減できる。
また、瓦１００だけで防ぎきれないほどの強雨により下葺き材４００の上まで雨水が浸入した場合、横桟があると雨水がせき止められてしまい、雨漏りの原因となる可能性があるが、この実施の形態における瓦屋根構造には、横桟がないので、雨水がせき止められず、排水することができるので、雨漏りの可能性を低くすることができる。
【００３４】
また、この実施の形態における瓦屋根構造は、縦桟５００が垂木２００に直接固定されている点も特徴である。
これにより、縦桟５００がしっかりと固定されるので、瓦１００を縦桟５００に固定しても、十分な強度を得ることができる。
【００３５】
また、この実施の形態における瓦屋根構造は、瓦１００の平瓦裏面１１５が平らな点も特徴である。
これにより、瓦配置工程Ｓ１５において、瓦１００を、既に葺いてある瓦１００と係合させつつ、野地板３００及び下葺き材４００の上に置くだけでよい。瓦１００の歪みや瓦１００を置く角度などを考慮する必要がないので、高度な技術のない作業員でも、簡単に瓦葺き作業をすることができる。
【００３６】
また、この実施の形態における瓦屋根構造は、瓦１００の裏面に引掛け爪がない点も特徴である。
引掛け爪があると、下葺き材４００に当たって穴が開き、雨漏りの原因となる可能性があるが、この実施の形態における瓦１００には、引掛け爪がないので、下葺き材４００を傷つける心配がなく、雨漏りの可能性を低くすることができる。
【００３７】
また、この実施の形態における瓦屋根構造は、薄肉部１２２（を貫通させることにより形成される貫通穴）が丸瓦部１２０のほぼ稜線上にある点も特徴である。
これにより、瓦配置工程Ｓ１５において、丸瓦部１２０をちょうど縦桟５００の真上に被せる位置に瓦１００を配置すればよく、作業が容易である。
【００３８】
更に、薄肉部１２２を貫通させることにより形成される貫通穴に、固定部材を通し、縦桟５００に瓦１００を固定する。縦桟５００は、垂木２００にしっかりと固定されているので、瓦１００が強風により飛ばされる危険を抑えることができる。
【００３９】
また、この実施の形態における瓦屋根構造は、垂木２００の間隔Ｌが、瓦１００の働き幅Ｗの整数倍である点も特徴である。
これにより、薄肉部１２２が、垂木２００の上（に固定された縦桟５００）にくるので、垂木２００にしっかりと固定された縦桟５００に、瓦１００を固定することができる。
【００４０】
この実施の形態における瓦屋根構造において、瓦１００には、野地板３００及び縦桟５００の双方に固定されている瓦１００と、野地板３００だけに固定され縦桟５００に固定されていない瓦１００とがある。
瓦１００は、釘などの固定部材により野地板３００や縦桟５００に固定されるだけでなく、係合している他の瓦１００によっても固定され、台風などにより飛ぶことを防いでいる。
具体的には、左隣に隣接する瓦１００及び左斜め軒側に隣接する瓦１００によって、瓦１００が強風により発生する負圧で引き剥がされるのを防いでいる。
【００４１】
したがって、垂木２００の間隔Ｌは、瓦１００の働き幅Ｗと同じ（すなわち、働き幅Ｗの１倍）であるか、瓦１００の働き幅Ｗの２倍であることが好ましい。
垂木２００の間隔Ｌが瓦１００の働き幅Ｗと同じであれば、すべての瓦１００を野地板３００及び縦桟５００の双方に固定することができるので、最大の固定強度を得ることができる。
垂木２００の間隔Ｌが瓦１００の働き幅Ｗの２倍である場合、２枚に１枚の割合で、野地板３００及び縦桟５００の双方に固定された瓦１００が存在する。したがって、野地板３００だけに固定され縦桟５００に固定されていない瓦１００については、その左隣に隣接する瓦１００及び左斜め軒側に隣接する瓦１００がどちらも、野地板３００及び縦桟５００の双方に固定された瓦１００である。したがって、野地板３００だけに固定され縦桟５００に固定されていない瓦１００も、十分な固定強度を得ることができる。
【００４２】
また、軒側に隣接する瓦１００及び左斜め軒側に隣接する瓦１００は、瓦１００が軒方向にずれるのを防いでいる。
すなわち、玉口部１３０の半円筒の半径が丸瓦部１２０の半円筒の半径より小さく、丸瓦部１２０が軒側に隣接する瓦１００の玉口部１３０と係合し、丸瓦頭面１２６が軒側に隣接する瓦１００の丸瓦尻面１２７に当接しているので、軒側に隣接する瓦１００に支えられ、軒方向にずれるのを防ぐ。
また、平瓦頭面１１６が左斜め軒側に隣接した瓦１００の丸瓦尻面１２７にも当接しているので、左斜め軒側に隣接する瓦１００にも支えられ、軒方向にずれるのを防ぐ。
したがって、１枚の瓦１００を軒方向にずらそうとする力（重力）は、軒側に隣接した瓦１００と、左斜め軒側に隣接した瓦１００との２枚の瓦１００に分散される。
【００４３】
また、この実施の形態における瓦１００は、丸瓦部１２０が風を切るので、強風により発生する負圧が低く、瓦１００に対して引き剥がそうとする力が加わりにくい。
【００４４】
なお、瓦１００の上下方向（屋根の傾斜方向）の長さは、長いほうが好ましい。そのほうが、戻りが少ないので、傾斜の緩い屋根でも雨漏りの可能性を低くできるからである。
また、瓦１００の玉口部１３０の長さも、長いほうが好ましい。玉口部１３０の長さは、軒側の瓦１００と棟側の瓦１００との重ねしろになるので、これが長いほうが、雨漏りの可能性が低くなるからである。
【００４５】
また、葺き換え工事において、既設の屋根が心木あり瓦棒葺きである場合、その心木を縦桟として利用することにより、既設の屋根を剥がすことなく、この実施の形態における瓦屋根構造を実現できるので、作業コストを削減することができる。
【００４６】
実施の形態２．
実施の形態２について、図５を用いて説明する。
【００４７】
この実施の形態における瓦１００の形状は、実施の形態１で説明したものと同様なので、ここでは説明を省略する。
図５は、この実施の形態における屋根８００の構造の一例を示す斜視図である。
なお、実施の形態１で説明した屋根８００と共通する部分については、同一の符号を付し、ここでは説明を省略する。
【００４８】
この実施の形態における瓦屋根構造は、更に、複数の縦桟５５０を備える。
縦桟５５０は、縦桟５００と同様、細長い棒状の部材であり、瓦１００を固定する釘などの固定部材を打つためのものである。
縦桟５５０は、野地板３００及び下葺き材４００の上に位置し、屋根８００の傾斜方向に平行に配置されている。縦桟５５０は、縦桟５００と平行に配置されるが、縦桟５００と異なり、垂木２００の上ではない位置にある。
縦桟５５０は、例えば釘などの固定部材により野地板３００に固定されている。
【００４９】
すべての瓦１００は、薄肉部１２２の下に、縦桟５００または縦桟５５０が位置するように並べられ、薄肉部１２２を打ち抜いて形成した貫通穴に釘などの固定部材を打つことにより、縦桟５００または縦桟５５０に固定されている。
【００５０】
実施の形態１において、垂木２００の間隔Ｌが瓦１００の働き幅Ｗと等しくない場合、野地板３００だけに固定され縦桟５００に固定されていない瓦１００が存在する。
この実施の形態では、すべての瓦１００が、縦桟５００または縦桟５５０に固定されているので、野地板３００に固定されただけの瓦１００は存在しない。
【００５１】
これにより、すべての瓦１００が野地板３００及び縦桟５００もしくは縦桟５５０の双方に固定されるので、固定強度が増し、強風地帯や屋根８００の傾斜がきつい場合であっても、十分な固定強度を得ることができる。
【図面の簡単な説明】
【００５２】
【図１】実施の形態１における瓦１００の一例を表側から見たところを示す斜視図。
【図２】図１に示した瓦１００を裏側から見たところを示す斜視図。
【図３】実施の形態１における屋根８００の構造の一例を示す斜視図。
【図４】実施の形態１における屋根瓦葺き方法の作業の流れの一例を示すフローチャート図。
【図５】実施の形態２における屋根８００の構造の一例を示す斜視図。
【符号の説明】
【００５３】
１００  瓦、１１０  平瓦部、１１１  釘穴、１１２  釘穴水返し、１１４  平瓦表面、１１５  平瓦裏面、１１６  平瓦頭面、１１７  平瓦尻面、１１９  平瓦切取面、１２０  丸瓦部、１２１  目印、１２２  薄肉部、１２４  丸瓦外面、１２５  丸瓦内面、１２６  丸瓦頭面、１２７  丸瓦尻面、１２８  丸瓦右側裏面、１３０  玉口部、１３１，１３２  水切り溝、１３４  玉口外面、１３５  玉口内面、１３７  玉口尻面、１３８  玉口右側裏面、１４０  尻水返し、１４４  尻水返し頂面、１５０  差込水返し、１５４  差込水返し頂面、１６０，１７０  裏面水返し、１６５，１７５  裏面水返し底面、２００  垂木、３００  野地板、４００  下葺き材、５００，５５０  縦桟、６００  釘、８００  屋根。
【図１】
2008291488.tif 000003
【図２】
2008291488.tif 000004
【図３】
2008291488.tif 000005
【図４】
2008291488.tif 000006
【図５】
2008291488.tif 000007
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
複数の垂木と、野地板と、複数の縦桟と、複数の瓦とを備える瓦屋根構造であって、
上記複数の垂木の各垂木は、棒状であり、所定の間隔で互いに略平行に配置され、
上記野地板は、屋根面と略平行な平板状で、上記複数の垂木の上に位置し、上記複数の垂木に固定され、
上記複数の縦桟の各縦桟は、棒状であり、上記野地板の上の上記複数の垂木の各垂木の上にあたる位置に、上記複数の垂木の各垂木と略平行に配置され、上記複数の垂木の各垂木に固定され、
上記複数の瓦の各瓦は、
略半円筒板状の丸瓦部と、裏面に突起のない略長方形の平板状で一辺が上記丸瓦部の側端に接続している平瓦部とを有し、
上記野地板の上に互いに係合して並べられ、
上記複数の瓦の少なくともいずれかの瓦は、上記複数の縦桟のいずれかの縦桟に固定され、
上記複数の垂木の間隔が上記複数の瓦の働き幅の整数倍である
ことを特徴とする瓦屋根構造。
【請求項２】
上記複数の瓦の少なくともいずれかの瓦は、上記丸瓦部の略稜線上に貫通穴を有し、
上記瓦屋根構造は、更に、固定部材を備え、
上記固定部材は、上記貫通穴を有する瓦の貫通穴を通り、上記貫通穴を有する瓦を上記複数の縦桟のいずれかの縦桟に固定する
ことを特徴とする請求項１に記載の瓦屋根構造。
【請求項３】
上記複数の瓦のうち上記野地板の上の上記複数の垂木の各垂木の上にあたる位置に並べられた瓦は、上記垂木に固定された縦桟に固定されることを特徴とする請求項１または請求項２に記載の瓦屋根構造。
【請求項４】
上記瓦屋根構造は、更に、複数の固定部材を備え、
上記複数の垂木の間隔が上記複数の瓦の働き幅の２倍であり、
上記複数の瓦の各瓦は、更に、
略半円筒板状で、軸が上記丸瓦部と略同一で、半径が上記丸瓦部より小さく、下端が上記丸瓦部の上端に接続している玉口部を有し、
上記玉口部が屋根の傾斜方向に隣接する瓦の丸瓦部の内側に係合し、
上記丸瓦部の上端が上記屋根の傾斜方向に隣接する瓦の丸瓦部下端に当接して係合し、
上記平瓦部の上に屋根の水平方向に隣接する瓦の丸瓦部が被さり、
上記平瓦部の上面が上記屋根の水平方向に隣接する瓦の丸瓦部側端に当接して係合するよう、
上記野地板の上に並べられ、上記野地板に固定され、
上記複数の瓦のうち上記野地板の上の上記複数の垂木の各垂木の上にあたる位置に並べられた瓦は、更に、上記丸瓦部の略稜線上に貫通穴を有し、
上記複数の固定部材の各固定部材は、上記瓦の貫通穴を通り、上記瓦を上記垂木に固定された縦桟に固定する
ことを特徴とする請求項１に記載の瓦屋根構造。
【請求項５】
棒状であり所定の間隔で互いに略平行に配置された複数の垂木と、屋根面と略平行な平板状で上記複数の垂木の上に位置し上記複数の垂木に固定された野地板とを備える屋根下地の上に、
略半円筒板状の丸瓦部と、下側に突起のない略長方形の平板状で一辺が上記丸瓦部の側端に接続している平瓦部とを有し働き幅の整数倍が上記複数の垂木の間隔である複数の瓦を葺く屋根瓦葺き方法において、
棒状の複数の縦桟を、上記野地板の上の上記複数の垂木の各垂木の上にあたる位置に、上記複数の垂木の各垂木と略平行に配置し、
上記複数の縦桟を上記複数の垂木の各垂木に固定し、
上記複数の瓦を、上記野地板の上に、互いに係合して並べ、
上記複数の瓦の少なくともいずれかの瓦を上記複数の縦桟の各縦桟に固定する
ことを特徴とする屋根瓦葺き方法。
【手続補正２】
【補正対象書類名】明細書
【補正対象項目名】００１３
【補正方法】変更
【補正の内容】
【００１３】
釘穴１１１は、平瓦部１１０の棟側の端付近、瓦１００全体の左右ほぼ中央付近にある貫通した穴である。釘穴１１１は、瓦１００を固定する釘などの固定部材を通すための穴である。
釘穴１１１の周辺には、釘穴１１１から雨水が浸入するのを防ぐため、釘穴水返し１１２がある。
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
複数の垂木と、野地板と、複数の縦桟と、複数の瓦と、複数の固定部材とを備える瓦屋根構造であって、
上記複数の垂木の各垂木は、棒状であり、所定の間隔で互いに略平行に配置され、
上記野地板は、屋根面と略平行な平板状で、上記複数の垂木の上に位置し、上記複数の垂木に固定され、
上記複数の縦桟の各縦桟は、棒状であり、上記野地板の上の上記複数の垂木の各垂木の上にあたる位置に、上記複数の垂木の各垂木と略平行に配置され、上記複数の垂木の各垂木に固定され、
上記複数の瓦の各瓦は、
略半円筒板状の丸瓦部と、裏面に突起がなく平らな略長方形の平板状で一辺が上記丸瓦部の側端に接続している平瓦部と、
略半円筒板状で、軸が上記丸瓦部と略同一で、半径が上記丸瓦部より小さく、下端が上記丸瓦部の上端に接続している玉口部とを有し、
上記玉口部が屋根の傾斜方向に隣接する瓦の丸瓦部の内側に係合し、
上記丸瓦部の上端が上記屋根の傾斜方向に隣接する瓦の丸瓦部下端に当接して係合し、
上記平瓦部の上に屋根の水平方向に隣接する瓦の丸瓦部が被さり、
上記平瓦部の上面が上記屋根の水平方向に隣接する瓦の丸瓦部側端に当接して係合するよう、
上記野地板の上に互いに係合して並べられ、上記野地板に固定され、
上記複数の瓦のうち上記野地板の上の上記複数の垂木の各垂木の上にあたる位置に並べられた瓦は、更に、上記丸瓦部の略稜線上の上下中央より下に貫通穴を有し、
上記複数の固定部材の各固定部材は、上記瓦の貫通穴を通り、上記瓦を上記垂木に固定された縦桟に固定し、
上記複数の垂木の間隔が上記複数の瓦の働き幅の２倍である
ことを特徴とする瓦屋根構造。